(57)【要約】【課題】特に、それぞれレバー４９ａ，４９ｂ，４９ｃ，４９ｄ，４９ｅ，４９ｆ，４９ｇ，４９ｈ，４９ｉ，４９ｊの形式に構成された多数の操作部品１５ａ，１５ｂ，１５ｃ，１５ｄを有し、レバーが、手動により非動作の中央位置３９ａを出発点として、第一の方向３１に沿って第一の切換位置３９ｂに移動可能であるか、或いはそれに代わって、第一の方向に対して逆向きの第二の方向３２に沿って第二の切換位置３９ｃに移動可能であり、このレバーが、その中央位置の方に付勢されている、インターコムネットワーク１１用の通話装置１０を提供することである。【解決手段】本発明の特徴は、特に、このレバーが、パラメータを変更するための回転可能に軸支された調整部品５９，５９ａ，５９ｂ，５９ｃ，５９ｄ，５９ｅ，５９ｆ，５９ｇ，５９ｈ，５９ｉ，５９ｊを有することである。【選択図】図４
2019103137.tif 000002
【特許請求の範囲】
【請求項１】
それぞれレバー（４９ａ，４９ｂ，４９ｃ，４９ｄ，４９ｅ，４９ｆ，４９ｇ，４９ｈ，４９ｉ，４９ｊ）の形式に構成された多数の操作要素（１５ａ，１５ｂ，１５ｃ，１５ｄ）を有し、レバーが、手動により非動作の中央位置（３９ａ）から、第一の方向（３１）に沿って第一の切換位置（３９ｂ）に可動であるか、或いはそれに代わって、第一の方向に対して逆向きの第二の方向（３２）沿って第二の切換位置（３９ｃ）に可動であり、このレバーが、その中央位置（３９ａ）の方に付勢されている、インターコムネットワーク（１１）用の通話装置（１０）において、
このレバーが、パラメータを変更するための回転可能に軸支された調整部品（５９，５９ａ，５９ｂ，５９ｃ，５９ｄ，５９ｅ，５９ｆ，５９ｇ，５９ｈ，５９ｉ，５９ｊ）を有すること、或いはこのレバーが、そのような調整部品を覆うことを特徴とする通話装置。
【請求項２】
特に、筐体前部（１３）と筐体裏側（１４）を有する平行６面体形状の筐体（１２）を備えた、インターコムネットワーク（１１）用の通話装置であって、
この筐体前部（１３）には、多数のプログラミング可能な操作部品（１５ａ，１５ｂ，１５ｃ，１５ｄ）と、場合によっては、複数のディスプレイ（１６ａ，１６ｂ，１６ｃ，１６ｄ）とが配置され、
これらの操作部品は、多数の選択キー（１７ａ，１７ｂ，１７ｃ，１７ｄ）を備え、
この通話装置は、操作員による選択キーの操作により、中継装置（１９）を介した、インターコムネットワークの選択された別の通話装置（１８ａ，１８ｂ）との聴取接続及び／又は通話接続を直ちに提供し、
この筐体裏側（１４）には、電源端子、データケーブル端子、ＢＮＣ端子などの多数の端子（２０ａ，２０ｂ，２０ｃ，２０ｄ，２０ｅ，２０ｆ，２０ｇ，２０ｈ）が配置され、
この筐体前部（１３）には、少なくとも一つのスピーカ（２４）又はスピーカ用端子（４６）が固定して配置され、
この筐体前部には、少なくとも一つのマイクロフォン（４４）及び／又は少なくとも一つのマイクロフォン用端子（４５）が配置され、
選択キーは、それぞれ手動により中央位置（３９ａ）を出発点として、第一の方向（３１）に沿って第一の動作位置（４１ａ）に、或いはそれに代わって第一の方向に対して逆向きの第二の方向（３２）に沿って第二の切換位置（３９ｃ）に移動可能であり、
選択キーは、その中央位置の方に付勢されている、
通話装置において、
この選択キーが、回転可能に軸支された調整部品（５９，５９ａ，５９ｂ，５９ｃ，５９ｄ，５９ｅ，５９ｆ，５９ｇ，５９ｈ，５９ｉ，５９ｊ）を有するか、或いは覆うことを特徴とする通話装置。
【請求項３】
前記の選択キーがレバー（４９）の形式に構成されていることを特徴とする請求項２に記載の通話装置。
【請求項４】
前記のレバーが、直線状の運動軌道に沿って可動である、特に、旋回可能であることを特徴とする請求項１又は３に記載の通話装置。
【請求項５】
少なくとも一つのヘッドセット用端子（４６）が筐体前部（１３）に配置されていることを特徴とする請求項１から４までのいずれか一つに記載の通話装置。
【請求項６】
前記の調整部品（５９，５９ａ，５９ｂ，５９ｃ，５９ｄ，５９ｅ，５９ｆ，５９ｇ，５９ｈ，５９ｉ，５９ｊ）の回転軸（ＤＡ，ＤＡ１，ＤＡ２）が前記の第一の方向（３１）に対して直角又はほぼ直角の方向を向いていることを特徴とする請求項１から５までのいずれか一つに記載の通話装置。
【請求項７】
前記のレバー（４９，４９ａ，４９ｂ，４９ｃ，４９ｄ，４９ｅ，４９ｆ，４９ｇ，４９ｈ，４９ｉ）が細長に形成されることと、
このレバー（４９，４９ａ，４９ｂ，４９ｃ，４９ｄ，４９ｅ，４９ｆ，４９ｇ，４９ｈ，４９ｉ，４９ｊ）が長手方向に沿って、前記の調整部品の回転軸（ＤＡ，ＤＡ１，ＤＡ２）が延びることと、
を特徴とする請求項１又は３に、或いは請求項１又は３を引用する請求項に記載の通話装置。
【請求項８】
前記の調整部品（５９，５９ａ，５９ｂ，５９ｃ，５９ｄ，５９ｅ，５９ｆ，５９ｇ，５９ｈ，５９ｉ，５９ｊ）の回転により、パラメータの設定及び／又は変更が行なわれることを特徴とする請求項１から７までのいずれか一つに記載の通話装置。
【請求項９】
前記の調整部品の回転回数又は前記の調整部品が回転される回転角度の大きさがパラメータの変更に関する尺度として用いられることを特徴とする請求項８に記載の通話装置。
【請求項１０】
本通話装置が、設定又は変更されたパラメータ値を保存するメモリ（６７ａ）を有することを特徴とする請求項８又は９に記載の通話装置。
【請求項１１】
前記のパラメータが、スピーカの音量に関する値に相当するか、そのような値を有するか、或いはスピーカ用端子に印加される音量信号に関する信号値又はマイクロフォン用端子に印加されるマイクロフォン信号に関する信号値を有することを特徴とする請求項１から１０までのいずれか一つに記載の通話装置。
【請求項１２】
前記の調整部品（５９，５９ａ，５９ｂ，５９ｃ，５９ｄ，５９ｅ，５９ｆ，５９ｇ，５９ｈ，５９ｉ，５９ｊ）が、エンドレスに回転可能なホイールの形式に構成されていることを特徴とする請求項１から１１までのいずれか一つに記載の通話装置。
【請求項１３】
第一の回転方向（Ｐ）への前記の調整部品（５９，５９ａ，５９ｂ，５９ｃ，５９ｄ，５９ｅ，５９ｆ，５９ｇ，５９ｈ，５９ｉ，５９ｊ）の操作が、パラメータの値を上昇させるように作用し、第一の回転方向と逆の第二の回転方向への前記の調整部品の操作が、パラメータの値を下降させるように作用することを特徴とする請求項１から１２までのいずれか一つに記載の通話装置。
【請求項１４】
前記のレバー（４９）が三位置レバーとして構成されていることを特徴とする請求項１又は３に、或いは請求項１又は３を引用する請求項に記載の通話装置。
【請求項１５】
前記の調整部品（５９ｅ，５９ｆ，５９ｇ，５９ｈ，５９ｉ，５９ｊ）がレバーの自由端（６２）又はレバーの自由端の近くに配置されていることを特徴とする請求項１又は３に、或いは請求項１又は３を引用する請求項に記載の通話装置。
【請求項１６】
前記の調整部品が、その調整部品の外被面を部分的に覆う、レバーの材料領域（６４）に部分的に嵌め込まれていることを特徴とする請求項１又は３に、或いは請求項１又は３を引用する請求項に記載の通話装置。
【請求項１７】
前記の調整部品（５９ａ，５９ｂ，５９ｃ，５９ｄ）が、レバーの蝶番端（６３）の近くに配置されていることを特徴とする請求項１又は３を引用する請求項１から１４までのいずれか一つに記載の通話装置。
【請求項１８】
前記の調整部品（５９ａ，５９ｂ，５９ｃ，５９ｄ，５９ｅ，５９ｆ，５９ｇ，５９ｈ）が、その外被面（７８）にリブ（６１）又は突起を有することを特徴とする請求項１から１７までのいずれか一つに記載の通話装置。
【請求項１９】
それぞれレバー（４９ｋ，４９ｌ）の形式に構成された多数の操作部品（１５ａ，１５ｂ，１５ｃ，１５ｄ）を有し、このレバーが、手動により非動作の中央位置（３９ａ）を出発点として、第一の方向（３１）に沿って第一の切換位置（３９ｂ）に移動可能であるか、或いはそれに代わって、第一の方向に対して逆向きの第二の方向（３２）に沿って第二の切換位置（３９ｃ）に移動可能であり、このレバー（４９ｋ，４９ｌ）が、その中央位置の方に付勢されている、インターコムネットワーク（１１）用の通話装置（１０）において、
このレバー（４９ｋ，４９ｌ）の全体が、パラメータを変更又は設定するために、特に、レバーの長手中心軸と一致する、第一の方向に対して直角の方向を向いた回転軸（ＤＡ，ＤＡ１，ＤＡ２）（図９）の周りを回転可能又は旋回可能であるように構成されていることを特徴とする通話装置。
【請求項２０】
前記のレバーを傾斜位置に維持している間の時間が、パラメータの変更又は設定に関する尺度として用いられることを特徴とする請求項１９に記載の通話装置。
【請求項２１】
それぞれレバー（４９ａ，４９ｂ，４９ｃ，４９ｄ，４９ｅ，４９ｆ，４９ｇ，４９ｈ，４９ｉ，４９ｊ）の形式に構成された多数の操作部品（１５ａ，１５ｂ，１５ｃ，１５ｄ）を有し、レバーが、手動により非動作の中央位置（３９ａ）を出発点として、第一の方向（３１）に沿って第一の切換位置（３９ｂ）に可動であるか、或いはそれに代わって、第一の方向に対して逆向きの第二の方向（３２）に沿って第二の切換位置（３９ｃ）に可動であり、このレバーが、その中央位置（３９ａ）の方に付勢されている、インターコムネットワーク（１１）用の通話装置（１０）、特に、請求項１から２０までのいずれか一つに記載の通話装置において、
このレバー（４９）が、中央位置の近くの位置に有るレバーに対して、レバーを中央位置の方に動かす大きな力を加える磁石（７１）と直接的又は間接的に協力して動作し、
この磁石と別個の少なくとも一つのバネ部品（７３，７４）が、レバーを更に中央位置（３９ａ）の方に動かす、
ことを特徴とする通話装置。
【発明の詳細な説明】
【技術分野】
【０００１】
本発明は、請求項１に記載のインターコムネットワーク用通話装置に関する。
【背景技術】
【０００２】
出願人は、３０年以上前から、インターコムネットワーク用通話装置の開発と製造に従事してきた。
【０００３】
本発明の意味における通話装置の機能に関して、出願人の以下に列挙した特許文献１〜６を参照し、それにより、繰り返しを避けるために、個々の特徴を参照することをも目的とし、並びに個々の特徴を本出願の請求項に包含することをも目的として、それらの内容を本出願の内容に含める。
【０００４】
従来技術による通話装置では、多数の操作要素が筐体前部に配置されている。それによって、操作要素を固定した場合、選択された別の通話装置との聴取接続及び／又は通話接続を直ちに構築することができる。それらの通話装置の全ては、中継装置を介して互いに接続され、その中継装置は、インターコムネットワークを管理、運営して、配線経路を切り換える。
【０００５】
所定の操作要素の選択とその操作によって、その通話装置の操作員は、所定の別の通話装置を選択する。
【０００６】
従来技術による通話装置では、構成形式に応じて二位置レバー又は三位置レバーと呼ばれるレバーを配備することが既に知られている。そのレバーは、中央位置（レバーが、この中央位置の方に付勢されている）を出発点として、第一の方向又は第二の方向に移動することができる。そのレバーは、第一の方向に、例えば、上方に移動させることにより、第一の動作位置又は切換位置に到達し、或いは第二の方向に、例えば、第一の方向と逆向きの下方に移動させることにより、第二の動作位置又は第二の切換位置の方にレバーを移動させることができる。
【０００７】
操作員は、聴取接続又は通話接続、或いは聴取・通話接続を提供する限り、通常そのレバーを押した状態に保持しなければならない。
【０００８】
二つの切換位置は異なる機能を提供する。そのようにして、第一の切換位置は、通話接続を保証し、別の切換位置は、聴取接続を保証することができる。操作員がレバー要素に最早力を加えなくなると、そのレバー要素は、バネによる付勢により中央位置に戻るように移動されて、聴取接続又は通話接続、或いは聴取・通話接続が中断及び終了される。
【０００９】
そのような通話装置は、例えば、催し物又はライブイベント時に使用される。その場合、多くの数、例えば、２０又は５０台の異なる通話装置を配備することができ、その全てが中継装置を介して互いに通信することができる。特に、ライブイベント又はスポーツイベント時には、個々の通話装置の音響効果が極端に異なる。通話装置の操作者は、異なる好みも有する。最終的に、通話装置は、異なるマイクロフォン設定を利用することもできる。
【００１０】
通話装置の操作員が、別の通話装置との異なる聴取接続又は通話接続のために、それぞれ個別の音量設定を選択できるように、操作要素はプログラミング可能である。そのようにして、例えば、音量コントローラを用いて、個々の操作要素毎に音量を変更して、設定することができる。しかしながら、その設定は本当に骨が折れて、快適でなく、邪魔され易い。
【先行技術文献】
【特許文献】
【００１１】
【特許文献１】ドイツ特許公開第１０２０１４０１１９６３号明細書
【特許文献２】ドイツ特許公開第１０２０１７１０７１４８号明細書
【特許文献３】ドイツ特許公開第１０２０１７１０７１５０号明細書
【特許文献４】ドイツ特許公開第１０２０１７１０６９４６号明細書
【特許文献５】ドイツ特許公開第１０２０１７１１６００２号明細書
【特許文献６】ドイツ特許公開第１０２０１７１１６２７３号明細書
【発明の概要】
【発明が解決しようとする課題】
【００１２】
上記を出発点として、本発明の課題は、オーディオ接続を構築すべき通話装置の快適な選択可能性を維持するとともに、従来の快適な操作手法を維持しつつ、操作要素に関連する個々の音量又は別のパラメータの改善された設定を実現できるように、この種の形式の通話装置を改善構成することである。
【００１３】
更に、本発明の課題は、オーディオ接続を構築すべき通話装置の快適な選択可能性を維持するとともに、従来の快適な操作手法を維持しつつ、個々の音量又は別のパラメータの改善された設定を実現できるように、この種の形式の通話装置を改善構成することである。
【００１４】
本発明の課題は、改善された操作快適性を提供するように、冒頭で述べた従来技術による通話装置を改善構成することである。
【課題を解決するための手段】
【００１５】
本発明は、請求項１の特徴により、特に、その特徴部の特徴により本課題を解決し、それによると、レバーの全体が、パラメータを変更するための回転可能に軸支された調整要素を有するか、或いはレバーがそのような調整要素を覆うことを特徴とする。
【００１６】
本発明の第一の変化形態では、レバーは、回転可能に軸支された調整要素を有する。この要素は、パラメータを変更する役割と、それにより設定する役割をも果たす。このパラメータは、例えば、操作要素に対応付けられる音量であるとすることができる。この回転可能に軸支された調整要素は、例えば、ダイヤル、回転レバー、回転ヘッド又はそれらと同様のものを備えることができる。この調整要素は、レバーに直に配置される。即ち、有利には、レバーと一緒に移動させることもできる。それは、レバーの自由端の領域に配置するか、或いはそれに代わって、レバーの蝶番端の領域に配置することができる。この調整要素は、レバーの中央区画の領域に配置することもできる。
【００１７】
第一の回転方向に、或いはそれと逆の第二の回転方向に所定の回転角だけレバーを回転させることによって、或いは調整要素を一回転又は複数回転させることによって、パラメータ、例えば、音量を設定することができる。この設定又は変更は、設定されたパラメータ値を保存することも直ちに許容することができる。
【００１８】
調整要素のその後の操作は、パラメータを低減又は増大させることができる。更なる操作を実行した後、変更されたパラメータ値を直ちに保存することができる。
【００１９】
本発明の第一の変化形態では、パラメータ、特に、音量を変更するための調整要素は、
レバーに直に配置される。それにより、従来技術では得られなかった、レバーに対する調整要素の直接的な組み込みが実現される。更に、レバーへの調整要素の直接的な配置を実現することによって、調整要素の特に良好で快適な操作性が得られる。
【００２０】
有利には、調整要素は、音量を変更する役割を果たす。例えば、通話装置に固定して配置されたマイクロフォンの音量又はスピーカの音量を直ちに設定又は変更することができる。マイクロフォン用端子又はスピーカ用端子に印加される、或いはそのような端子に与えられる音量信号の変更も（パラメータの変更として）行なうことができる。
【００２１】
本発明の第二の変化形態では、レバーは、回転可能に軸支された調整要素を覆う。この変化形態では、調整要素は、例えば、通話装置の筐体の前側に回転可能な形で、或いは如何なる場合でも通話装置の前側に対して相対的に回転可能な形で軸支され、そのため、レバーと一緒に移動できない。このレバーは、調整要素を覆っており、そのために、例えば、空洞を有することができる。位置を固定されているが、回転可能に配置された調整要素は、レバーの相対的な動きのために、この空洞を通って潜り込んでいる。
【００２２】
同様に、レバーへの調整要素の直接的な組み込みが実現される。この変化形態でも、調整要素の特に良好で快適な操作を実現することができる。
【００２３】
レバーが調整要素を覆う本発明の第二の変化形態では、位置を固定された形で保持された調整要素の上方において、レバーの移動を行なうことができる。
【００２４】
レバーの中央位置でも、二つの切換位置でも、回転要素は、それぞれ操作員に容易にアクセスできて、回転させることができ、それにより操作することができる。しかし、それと同時に、空間的に近接した直接的な組み込みが行なわれ、そのため、操作員は、レバーの移動も、調整要素の操作も快適かつ便利に実施することができる。
【００２５】
本発明の第一の変化形態では、調整要素がレバーの移動運動に追従する一方、本発明の第二の変化形態では、調整要素が、通話装置に対して相対的に位置を固定された形で配置されており、レバーの移動運動に追従しない。
【００２６】
第二の観点において、本発明は、請求項２に記載の通話装置に関する。
【００２７】
本発明は、請求項２の特徴により、特に、特徴部の特徴により本課題を解決し、それによると、選択キーが、回転可能に軸支された調整要素を包囲する、或いは覆うことを特徴とする。
【００２８】
請求項２の教えの理解とその請求項の特徴の解釈に関して、繰り返しを避けるために、請求項１に関する上記の実施形態を参照されたい。
【００２９】
本発明の別の有利な実施形態では、選択キーがレバー形式に構成される。それによって、特に快適な操作を実現することができる。
【００３０】
本発明の別の実施形態では、このレバーは、直線状の運動軌道に沿って可動である。特に、前方から通話装置を見た場合、即ち、通話装置の筐体前部を見た場合、このレバーは、中央位置を出発点として、それぞれ垂直方向に対して上方に、或いは垂直方向に対して下方に、二つの動作位置又は切換位置の中の一つに移動させることができる。それによって、直感的に快適な操作を実現することができる。
【００３１】
本発明の別の実施形態では、少なくとも一つのヘッドセット用端子が通話装置の筐体前部に配置される。この端子は、特に、ヘッドセット用の雄ＸＬＲジャック又はそれ以外の端子として構成することができる。調整要素の操作に続いて、例えば、スピーカ又はマイクロフォン用音量信号を相応のレベル又は信号の高さで生成する役割を果たす制御部によって、特に、プロセッサによって、電子的な更なる処理プロセスが通話装置内で実施される。
【００３２】
本発明の別の有利な実施形態では、調整要素の回転軸が、第一の方向に対して直角又はほぼ直角の方向を向く。それによっても、調整要素の直感的に容易にアクセスでき、快適であるが、確実で妨害にも強い操作が可能となる。
【００３３】
本発明では、中央位置から切換位置への選択キー又はレバーの動きが、調整要素の動きと同時に行なわれることを述べておきたい。即ち、調整要素は、レバー又は選択キーと動きを関連させる形又は動きを一体化させる形で接続される。それによって、特に確実で妨害に強い取り扱いを実現することができる。通話装置の使用者は、中央位置を出発点として、第一の切換位置又は動作位置へのレバーの操作を調整要素の回転運動と難無く直感的で確実に区別することができ、これら二つの異なる操作が何らかの形で互いに妨げ合うか、或いは重なり合うことが無い。
【００３４】
本発明の別の有利な実施形態では、このレバーは、細長に形成される。更に有利には、調整要素の回転軸は、このレバーの長手方向に沿って延びる。即ち、このレバーを第一の方向に沿って、或いは第一の方向と逆の方向に動かした場合、調整要素の回転軸が一緒に動かされる。回転軸をここで述べる方向に向けることによって、二つの操作可能性の特に良好な機能分離が実現される。
【００３５】
本発明の別の有利な実施形態では、調整要素の回転により、パラメータの設定及び／又はパラメータの変更が行なわれる。調整要素の回転は、従来の簡単な手法により、電子機器又はそれ以外の好適な電子要素により検知、記録及び検出されて、処理することができる。それによって、例えば、パラメータに関する電子的な値をレジスタに書き込むか、或いは上書きすることができる。これらのレジスタ値は、保存するか、或いは通話装置内のマイクロプロセッサにより更に処理することもできる。それによって、マイクロフォン又はスピーカ用のパラメータ、例えば、音量値の設定又は変更を直接的又は間接的に行なうことができる。
【００３６】
本発明に意味において、変更すべきパラメータは、音量又は音量に対応する信号の外に、例えば、通話装置の照明又は表示に関する値、例えば、照度に関する値であるとすることができる。照明又は表示も、空間的に通話装置のレバー又は選択キーに直接的又は間接的に対応付けることができる。
【００３７】
このレバー又はこの選択キーに割り当てられたディスプレイの照度、或いはその色又は色表示も、パラメータとして、調整要素の回転によって変更又は設定することができる。
【００３８】
本発明の別の有利な実施形態では、調整要素の回転回数又は調整要素を回転する回転角の大きさ、或いは調整要素を操作する頻度は、パラメータの変更に関する尺度として機能する。特に、回転角又は回転回数は、パラメータの変更値に比例させることができる。それによって、特に簡単なデータ処理を実現することができる。
【００３９】
本発明の別の有利な実施形態では、通話装置は、設定又は変更されたパラメータ値を保存するメモリを有する。このメモリは、揮発性又は不揮発性に構成することができる。そのようにして、更に、メモリにアクセスして、それらを読み出すことができるマイクロプロセッサ、計算ユニット又は制御部が通話装置に配備される。このメモリに書き込まれたパラメータ値は、通話装置のこの制御部又は別の計算ユニットにより使用することができる。それによって、スピーカ又はマイクロフォンの音量を設定値として保存、変更又は使用することができる。
【００４０】
本発明の別の有利な実施形態では、パラメータは、スピーカの音量に関する値に対応するか、或いはそのような値を含む。それに代わって、パラメータは、スピーカ用端子に印加される音量信号又はマイクロフォン用端子に印加されるマイクロフォン信号に関する信号値を含む。
【００４１】
それによって、スピーカの音量の設定又はマイクロフォンの音量の設定を行なうことができる。
【００４２】
本発明の別の有利な実施形態では、調整要素は、エンドレスに回転可能なホイールの形式に構成される。それによって、特に快適な取り扱いが可能となる。
【００４３】
それに代わって、調整要素は、一つの回転方向又は二つの回転方向にストッパを備えた、回転可能なホイールの形式に構成することもできる。
【００４４】
本発明の別の有利な実施形態では、レバーは、三位置レバーとして構成される。それは、レバーが中央位置又は中央姿勢の外に、変位された二つの位置、切換位置又は動作位置を占め得ることを意味する。
【００４５】
本発明の別の有利な実施形態では、調整要素は、レバーの自由端に配置される。それによって、調整要素を快適に操作する際の調整要素の特に良好な到達感を実現することができる。
【００４６】
本発明の別の有利な実施形態では、レバーの材料領域によって、調整要素を部分的に囲むことができる。それによって、調整要素の誤った取り扱いを防止又は低減することができる。
【００４７】
本発明の代替実施形態では、調整要素は、レバーの蝶番端の近くに配置される。それによって、使用者の指の異なる領域又は異なる指位置によって、調整要素を操作するか、或いは中央位置から切換位置にレバーを移動させることができる。
【００４８】
本発明の別の有利な実施形態では、調整要素は、その外被面にリブ又は突起を有する。それによって、特に良好な触覚を保証することができる。
【００４９】
それに代わって、本発明は、請求項１９の特徴を有する通話装置によっても、上述した課題を解決する。
【００５０】
この発明は、レバーが全体として第一の方向に対して直角な方向を向いた回転軸の周りを回転可能又は傾斜可能に構成されることを特徴とする。
【００５１】
この変化形態では、レバーは、全体として回転可能又は傾斜可能に構成される。即ち、このレバーは、第一の運動方向に沿って動いた場合に中央位置から第一の動作位置又は切換位置に可動であり、或いは第一の運動方向と逆の方向に第二の動作位置又は切換位置に可動である。このレバーは、更に、第一の方向に対して直角である回転軸の周りを回転可能又は傾斜可能である。回転軸の周りにレバーを回転又は傾斜させることによって、同じく、パラメータ、例えば、音量の設定又は変更を行なうことができる。
【００５２】
更に有利には、レバーを傾斜位置に留めておく時間は、パラメータの変更に関する尺度として機能又は使用することができる。それによって、使用者は、所定の時間期間の間レバーを傾斜位置に保持することによって、それに応じてパラメータを変更することができる。
【００５３】
更に、本発明は、請求項２１に記載の通話装置に関する。
【００５４】
本発明は、請求項２１の特徴、特に、特徴部の特徴により本課題を解決し、それによると、レバーは、中央位置の近くの位置に有るレバーに対して、レバーをその中央位置の方に動かす大きな力を及ぼす磁石と協力して動作し、この磁石と別の少なくとも一つのバネ要素が、更に、レバーを中央位置の方に動かすことを特徴とする。
【００５５】
本発明の基本原理は、主として、レバーが少なくとも二つの異なる要素により中央位置に向かって付勢されることである。一方において、一つ又は複数のバネ要素、特に、機械式バネ、それに属するコイルバネ、板バネ、渦巻きバネ、引張バネ、圧縮バネ、金属材料又は弾性ゴム材料から成るバネ又はそれらと同等の物などの従来技術によるバネ要素を配備することができ、そのバネ復元力は、レバーの変位が増大する程増加し、バネ力は、特に、バネ定数に支配される。そのようなバネ要素は、例えば、レバーの材料領域、例えば、連接点において、レバーを把持することができる。中央位置を出発点として、二つの切換位置又は動作位置の中の一方へのレバーの変位が増大するにつれて、バネ力が、特に、直線的又はほぼ直線的に増加する。本発明では、これらのバネ要素は、比較的弱く設計されるか、或いは小さい寸法とされる。即ち、これらのバネ要素は、中央位置から変位されたレバーに小さい復元力しか加えず、そのようにして、レバーをその中央位置の方に動かすことができる。
【００５６】
本発明では、更に、一つの磁石が配置される。この磁石は、中央位置の外に有るレバーに追加の付勢力を加えて、レバーを中央位置の方に動かす。第一の実施構成では、この磁石は、位置を固定して配置され、そのため、中央位置に有るレバーと最大限に協力して動作する。例えば、レバーに一つの磁石を配置し、それに対抗する磁石を、通話装置の筐体に対して相対的に位置を固定して配置することができる。それに代わって、通話装置に対して相対的に固定して、一つの磁石を配置し、それに対抗する磁石を、可動な、即ち、旋回可能なレバーに対して相対的に固定して配置することもできる。レバー又はレバーの一部は、磁性材料又は磁化可能な材料から構成するか、或いはそのような材料を含むこともでき、磁石とそれに対抗する磁石は、それぞれ相互に作用し合う。二つの要素の中の一方である磁石又はそれに対抗する磁石は、如何なる場合でも、通話装置の筐体に対して相対的に固定して配置され、それぞれ他方の要素は、レバーに対して相対的に固定して配置されて、レバーと共に動かすことができる。
【００５７】
磁石とそれに対抗する磁石は、それらの磁力がレバーをその中央位置の方に動かすように互いに協力して動作する。
【００５８】
磁石及びそれに対抗する磁石が発生する力が近接場でのみ、即ち、中央位置の近くに配置されたレバーの実際の位置においてのみ作用することが決定的に重要である。
【００５９】
操作員が、中央位置を出発点として、レバーを操作する場合、中央位置を出発点として、磁石が加える力にも、バネ要素が加える力にも打ち勝たなければならない。レバーが、中央位置を出発点として、切換位置又は動作位置に更に移動する途中において、或る旋回角を上回ると、磁石とそれに対抗する磁石が、互いに相対的に遠く離れて、近接場を超えるため、磁力が最早作用しなくなる。ここで、操作員が、操作要素を切換位置又は動作位置に更に移動させるにつれて、更にバネ要素の力だけに打ち勝てば良いことになる。しかし、この力は相対的に小さい。それは、二つの動作位置又は切換位置の中の一方にレバーを押圧状態に保持したい使用者は、動作位置又は切換位置にレバーを押し止めることができるためには、反発挙動の間、バネ要素が加える僅かな復元力だけに打ち勝てば良いことを意味する。
【００６０】
それに対して、戻す動きの場合、中央位置への到達が、触覚により特に良好に検知できるように使用者に伝えられる。即ち、切換位置から中央位置に戻るレバーの運動軌道に沿って、詳しくは、第一のバネ要素により引き起こされる、レバーの復元運動により、所定の旋回角だけレバーを移動させた場合、操作員は、レバーの操作端の相応の表面に指を依然として置いていると仮定して、磁石の力が再び作用し、それにより、レバーが追加の第二のバネ力、そのため、全体として強められた、レバーを動かすバネ力に晒されたと感じることができる。
【００６１】
この場合、レバーの移動運動が、動作位置から中央位置への移動運動の最後に関して加速されるか、或いは速くなり、或いは強い復元力又は付勢力が加えられる形で実行されるので、一種の磁力によるロックを実現することができる。それは、使用者に触覚により示される。
【００６２】
これは、使用者に対する通話装置の取り扱いの快適性を向上させる。
【００６３】
本発明の更なる利点は、ここで引用していない従属請求項から、並びに以下における図面に図示された実施例の説明により明らかになる。
【図面の簡単な説明】
【００６４】
【図１】本発明による通話装置の一つの実施例の模式的な部分前面図
【図１ａ】凡そ図１の部分円を拡大して個別に図示した操作要素の模式的な部分拡大図
【図２】図１の通話装置の後側又は筐体裏側の模式的な裏面図
【図３】本発明による通話装置を使用するインターコムネットワークの実施例の模式的なブロック接続図
【図４】蝶番端の近くにアジャスタホイールの形の調整要素を備えた二つの操作要素を異なる位置で図示した、本発明による通話装置の別の実施例の簡略化した模式的な斜視図
【図５】図４の図面と比べて二つの異なる構成のレバーを備えた図４の図面の本発明による通話装置の別の実施例の斜視図
【図６】操作レバーの自由端に調整要素を配置した図４の図面の別の実施例の斜視図
【図７】操作要素が別の形で構成され、調整要素に自由にアクセス可能である図４の図面の別の実施例の斜視図
【図８】調整要素が部分的に嵌め込まれた、図７と同様の別の実施例を図４により図示した斜視図
【図９】レバーとして構成された操作要素が全体として回転軸の周りを旋回可能又は傾斜可能である図４の図面の別の実施例の斜視図
【図１０】操作要素が三つの異なる位置で個別に図示され、一つのセンサー、二つのスイッチ及び一つの制御部がブロック接続図で図示され、凡そ図４の断面線Ｘ−Ｘに沿った図４に図示されたレバーの凡そ縦断面図に相当する、本発明による通話装置の別の実施例の部分的な模式図
【図１１】操作要素が三つの異なる位置で個別に図示され、一つの磁石、それに対抗する一つの磁石及び第一と第二のバネ要素を図示した、図１０の図面の本発明による通話装置の別の実施例の模式図
【図１２】多数の個別要素を図示した、操作要素の別の実施例の分解図
【図１３】図１２の複数の操作要素を取り付けた状態で固定可能なプレート又は回路基板の前面図
【図１４】矢印ＸＩＶの方向から見た、図１３の回路基板の背面図
【図１５】組み立てられて取り付けられた状態の図１２の操作要素の斜視図
【図１６】凡そ図１５の矢印ＸＶＩに沿って見た図１５の実施例の模式的な側面図
【図１７】レバー要素が中央姿勢又は中央位置に有る図１６の図面による図１６の操作要素の模式的な側面図
【図１８】切換位置を変更した図１６及び図１７の操作要素の模式的な側面図
【図１９】凡そ図１５の矢印ＸＩＸに沿って見た、操作レバーと一緒に旋回可能な回路基板要素、所謂エンコーダユニットの個別の模式的な背面図
【図２０】本発明による操作要素の別の実施例の図１２の図面における模式的な分解図
【図２０ａ】凡そ図２０の矢印ＸＸａに沿って見た、図２０の操作要素のレバー要素の個別背面図
【図２１】図２０による複数の操作要素を固定できる回路基板の実施例の前面図
【図２２】組み立てられた状態の図２０の操作要素の模式的な個別図
【図２２ａ】凡そ図２２の矢印ＸＸＩＩａに沿って見た図２２の操作要素の背面図
【図２３】凡そ図２２の矢印ＸＸＩＩＩに沿って見た図２２の操作要素の側面図
【図２４】レバー要素が中央位置に有る図２３の操作要素の側面図
【図２５】レバー要素が別の位置に有る図２３及び図２４の操作要素の側面図
【発明を実施するための形態】
【００６５】
以下の図面による記述において、図面も参照して、本発明の実施例を例示する。この場合、見易くするために、その限りにおいて、異なる実施例に関しても、同じ、或いは比較可能な部分、要素又は領域は、（部分的に、小文字を付けた）同じ符号により表示されている。
【００６６】
本発明の範囲内において、一つの実施例だけに関連して述べた特徴は、本発明の如何なる別の実施例の場合にも規定することができる。そのような変更された実施例は、（符号で表示されていない場合でも）共に本発明に含まれる。
【００６７】
開示された全ての特徴は、個々において本発明にとって重要である。そのため、付属する優先書類（先願のコピー）、従来技術の引用文献及びそこに記載された装置の開示内容の全体は、それらの書類の個々又は複数の特徴を本出願の一つ又は複数の請求項に統合するとの目的のためにも、共に本出願の開示に組み込まれる。
【００６８】
図１によると、本発明による通話装置の一つの実施例の全体が符号１０により表示されている。この通話装置１０は、図３に例示されたインターコムネットワークで使用するのに有用であり、その全体が符号１１により表示されている。本発明による通話装置１０は、接続配線４８ａを介して、中継装置１９と接続されている。その中継装置１９には、別の通話装置１８ａ，１８ｂが、接続配線４８ｂ，４８ｃを介して繋がっている。このインターコムネットワーク１１を用いて、例えば、スポーツイベントや音楽イベントなどのライブイベントを運営することができる。各通話装置１０，１８ａ，１８ｂの所には、例えば、コメンテータ、司会者、オブザーバー又はそれら以外の操作員が座ることができ、それぞれ別の通話装置の所の別の人と通信することができる。このインターコムネットワーク１１は、その限りにおいて、複雑な相互通話設備又は交互通話設備である。
【００６９】
本発明による通話装置１０は、図面に単に模式的にしか図示されていない、例えば、図１に見える筐体前部１３、図２に見える筐体裏側１４、天井壁５６及び底部壁５５を備えた平行６面体形状に形成された筐体１２を有する。
【００７０】
この通話装置１０の前側１３又は筐体前部１３には、多数の操作要素１５ａ，１５ｂ，１５ｃ，１５ｄと多数のディスプレイ１６ａ，１６ｂ，１６ｃ，１６ｄが配置されている。これらの操作要素１５ａ，１５ｂ，１５ｃ，１５ｄは、選択キー１７ａ，１７ｂ，１７ｃ，１７ｄとして構成されている。これらの操作要素１５ａ，１５ｂ，１５ｃ，１５ｄは、プログラミング可能であり、そのため、例えば、各操作要素１５ａ，１５ｂ，１５ｃ，１５ｄは、インターコムネットワーク１１の所定の別の通話装置に対応付けることができる。中継装置１９は、これらの直接的なポイント・ツー・ポイント接続を運営、管理する。
【００７１】
図１の所定の選択キー、例えば、選択キー１７ｂを操作することによって、図１によるその通話装置１０の使用者に対して、インターコムネットワーク１１の別の通話装置１８ａ，１８ｂの操作員とのオーディオ接続、例えば、聴取接続、通話接続又は聴取・通話接続を直ちに提供することができる。即ち、操作員は、選択キー１７の操作以外に何も実行する必要がない。
【００７２】
以下において、それを如何にして正確に実施するのかを更に説明する。
【００７３】
図１によると、筐体前部１３には、図１に単に図示されたスピーカ２４の音波を放出する役割を果たす開口部２８ａ，２８ｂが配置されている。これらの開口部２８ａ，２８ｂは、スリット３０ａ，３０ｂの形式で構成されているが、それ以外の形式で構成することもできる。
【００７４】
更に、筐体前部１３には、例えば、ＵＳＢ端子５２ａ，５２ｂ、マイクロフォン用端子４５、ヘッドセット用端子４６などの一列の端子が配置され、単に図示されたマイクロフォン４４も配置されている。
【００７５】
筐体前部１３は、ほぼ四角形に形成され、四角形の基礎面３３を有する。この基礎面３３の側方縁部３４ａ，３４ｂには、開口４３を有する固定区画４２ａ，４２ｂが配置され、その開口を用いて、例えば、取付フレーム又はラックへの通話装置１０の固定を実施することができる。
【００７６】
図２によると、通話装置１０の筐体１２の裏側１４には、多数の端子２０ａ，２０ｂ，２０ｃ，２０ｄ，２０ｅ，２０ｆ，２０ｇ，２０ｈが配置されており、それらは、例えば、電源端子２１、データケーブル端子２２ａ，２２ｂ，２２ｃ、ＢＮＣ端子２３又は電力網延伸端子５０であるとすることができる。
【００７７】
図１ａによると、選択キー１７又はそれに対応する操作要素１５は、レバー４９又は操作レバー４９から構成される。そのレバーは、中央位置３９ａ，４０を出発点として、垂直方向とも呼ばれる第一の方向３１に沿った移動により、第一の動作位置又は第一の切換位置とも呼ばれる別の位置３９ｂに移動させることができる。それに代わって、中央位置４０を出発点として、垂直方向３１と反対に、即ち、その逆方向３２に操作レバー４９を移動させた場合、操作レバーは、その中央位置４０を出発点として、第二の動作位置４１ｂ又は第二の切換位置と呼ばれる第二の位置３９ｃに到達する。
【００７８】
本発明による通話装置１０では、レバー４９が第一の切換位置３９ｂで通話装置１０の第一の機能を保証し、第二の切換位置３９ｃで通話装置１０の別の第二の機能を保証するとの特徴が得られる。特に、操作要素１５又は選択キー１７は、第一の動作位置４１ａでトークモード又は通話モードが実現され、第二の動作位置４１ｂで聴取モード又はリッスンモードが実現されるようにプログラミングすることが可能である。
【００７９】
この場合、そのような構成は、操作要素が第一の動作位置４１ａ又は第二の動作位置４１ｂにない場合に、操作要素を中央位置４０の方に付勢するようにして得られる。即ち、使用者は、通話装置１０の相応の機能を起動又は保持したい場合、即ち、通話モード又は聴取モードに留まりたい場合、キーを操作したまま保持しなければならない、即ち、押したまま、或いは引いたまま保持しなければならない。
【００８０】
ここで、図４〜１０の実施例によると、操作レバー４９の切換位置によって実現される所望の機能に対応して、パラメータ、例えば、聴取モードにおける音量又はリッスンモードにおける音量を設定できるようにするために、或いはそれに代わって、それらの相応の操作要素に関して全体として標準的な音量を設定できるようにするために、調整要素５９が操作要素に直に配置されている。図４〜８及び図１０の実施例では、調整要素は回転可能に軸支されている。図９の実施例では、レバーは、それ自体が回転可能に、或いは旋回軸の周りを傾斜可能に軸支されている。
【００８１】
図４〜８及び図１０の全ての実施例では、調整要素５９がエンドレスに回転可能なホイールから構成されている。異なる実施例の異なる調整要素５９を互いに区別できるようにするために、それらは調整要素５９ａ〜５９ｊと表示されている。この場合、図４〜９は、それぞれ二つの操作レバー４９が操作レバー対として図示され、同じ形態で構成されているが、異なる位置又は姿勢に有るように図示されている。
【００８２】
図６〜８の観察者が直ちに分かる通り、操作レバー４９ｅ，４９ｆ，４９ｇ，４９ｈ，４９ｉ，４９ｊの調整要素５９ｅ，５９ｆ，５９ｇ，５９ｈ，５９ｉ，５９ｊは、それぞれ各操作レバー４９ｅ，４９ｆ，４９ｇ，４９ｈ，４９ｉ，４９ｊの自由端６２に配置されている。それによって、各調整要素５９ｅ，５９ｆ，５９ｇ，５９ｈ，５９ｉ，５９ｊへの直接的で良好なアクセス可能性が実現される。それと同時に、操作レバー４９ｅ，４９ｆ，４９ｇ，４９ｈ，４９ｉ，４９ｊは、それぞれ各調整要素５９ｅ，５９ｆ，５９ｇ，５９ｈ，５９ｉ，５９ｊよりも筐体前部１３の近くに配置された操作面７６を有する。
【００８３】
それに対して、図４と図５の実施例では、各調整要素５９ａ，５９ｂ，５９ｃ，５９ｄは、筐体前部１３の近くに、或いは各操作レバー４９ａ，４９ｂ，４９ｃ，４９ｄの蝶番端６３の近くに配置されている。その場合、対応する操作レバー４９ａ，４９ｂ，４９ｃ，４９ｄの操作面７７は、自由端６２の領域に配置されている。
【００８４】
図６と図８の実施例では、調整要素５９ｅ，５９ｆ，５９ｉ，５９ｊを部分的に嵌め込むための区画６４が設けられていることに留意されたい。それによって、それぞれ各調整要素５９ｅ，５９ｆ，５９ｉ，５９ｊの各外被面７８の一部にしかアクセスできないので、誤操作を確実に防止することができる。
【００８５】
更に、図４〜８の実施例による調整要素５９ａ〜５９ｊの全てが、それぞれ回転軸ＤＡ，ＤＡ１，ＤＡ２の周りを矢印Ｐ１により規定される回転方向に、並びにそれと逆の向きに回転可能であり、それらの対応する回転軸ＤＡ，ＤＡ１，ＤＡ２は、各操作レバー４９ａ〜４９ｊが長く延びて構成される方向に一致することに留意されたい。
【００８６】
操作要素４９をそれぞれ旋回させることができる、即ち、矢印Ｐ２の回転方向に中央位置３９ａから、二つの切換位置３９ｂ，３９ｃの中の一つに動かすための旋回軸６５が、ほぼ筐体前部１３に沿って、或いは筐体前部１３と平行に延びる一方、調整要素５９ａ，５９ｂ，５９ｃ，５９ｄ，５９ｅ，５９ｆ，５９ｇ，５９ｈ，５９ｉ，５９ｊを回転させることが可能な回転軸ＤＡ，ＤＡ１，ＤＡ２は、操作要素の旋回軸６５に対して直角である。
【００８７】
図９の実施例によると、操作要素４９ｋ，４９ｌが全体として旋回軸ＤＡ１，ＤＡ２の周りを旋回可能又は傾斜可能である場合も本発明に含まれる。その場合、所与の角度、単に数度、例えば、１０°、２０°又は３０°での僅かな最大許容旋回又は傾斜で十分である。
【００８８】
旋回軸ＤＡ，ＤＡ１，ＤＡ２の周りの調整要素５９ａ〜５９ｊの回転又は操作、或いは操作要素４９ｋ，４９ｌの傾斜又は旋回は、好適なセンサーにより検知及び検出することができる。回転方向、或いは旋回方向又は旋回の向きも同様に検出することができる。
【００８９】
図１０によると、通話装置１０の領域が非常に模式的な図面で部分模式図により図解されている。そこでは、操作レバー４９、筐体前部１３の一部、操作レバー４９を通すための筐体前部１３の開口６９、及び操作レバー４９を旋回させることが可能な、例えば、筐体前部１３に対して相対的に固定して配置された旋回軸６５だけが図示されている。この実施例では、レバー４９における、例えば、図４の調整要素５９ａの形態で構成できる調整要素５９が図示されており、図１０は、又もや縮尺が揃っていない。
【００９０】
図１０のブロック接続図は、操作レバー４９の中央位置３９ａを実線で図示し、二つの切換位置又は動作位置３９ｂ，３９ｃを破線で図示している。
【００９１】
図１０によると、切換位置又は動作位置３９ｂ，３９ｃへの操作レバー４９の到達を接触により検出できるスイッチ、検出器又はセンサー要素６６ａ，６６ｂを通話装置１０に配備することができる。二つの検出器又はセンサー要素６６ａ，６６ｂは、模式的に図示された信号配線又は接続配線６８ａ，６８ｂを介して、計算ユニット又は制御部６７と接続されている。この制御部６７は、単に破線で図示された接続配線６８ｃを介して、通話装置１０の図示されていない別の電子要素と接続することができる。
【００９２】
スイッチ及びセンサー６６ａ，６６ｂの形式及び構成は、本発明にとって重要ではない。ここでは、従来の構成に頼ることができる。通話装置１０が、操作レバー４９の切換位置又は動作位置３９ｂ，３９ｃへの到達を検出、検知して、データ技術的又は電子的に更に処理できることが決定的に重要である。切換位置への到達を検知した場合に初めて、通話装置１０は、インターコムネットワーク１１の別の通話装置１８ａ，１８ｂとのオーディオ接続、即ち、聴取接続、通話接続又は聴取・通話接続を構築する。
【００９３】
図１０によると、模式的に図示されている通り、調整要素５９が操作レバー４９に配置されている。その要素は、模式的に図示された回転軸ＤＡの周りを回転できる。更に、操作レバー４９には、又もや単に模式的に図示されている通り、センサー７０が配置されている。このセンサー７０は、同じく検出器又はスイッチであるとすることができる。本発明の図示されていない別の実施例では、センサー７０は、通話装置１０に固定して、或いは通話装置１０又は通話装置の筐体１２に対して相対的に固定して配置することができる。
【００９４】
センサー７０は、調整要素５９の操作を検出することができる。調整要素５９の実施形態に応じて、センサー７０は、回転方向を、即ち、調整要素５９ａが回転軸ＤＡの周りを時計回りに回転されたのか、或いは時計回りと逆の向きに回転されたのかを検出することもできる。
【００９５】
更に、センサー７０は、調整要素５９が如何なる回転回数を果たしたのかを検出することができる。それに代わって、調整要素５９の回転角を検出することもできる。
【００９６】
これらの検知された情報は、単に模式的に図示された制御信号配線６８ｄを介して、同じく計算ユニット又は制御ユニット６７に伝送することができる。
【００９７】
そこでは、取得した情報に基づき、パラメータを設定又は変更するか、或いはそのような変更を発動させることができる。
【００９８】
有利には、本発明の一つの実施構成では、パラメータは、音量又は音量信号、音量又は音量信号に関する尺度、或いは音量又は音量信号と関連する。
【００９９】
この場合、有利には、パラメータ変更に関する尺度として、調整要素５９が回転された回転角、調整要素５９の回転回数、或いは調整要素５９が操作されている時間を使用すると規定することができる。
【０１００】
図４、５、６及び７によると、そこでは、リブ６１の形の突起部が調整要素５９の外被面７８に配置されている。これらは、調整要素５９ｅ，５９ｆ，５９ｇ，５９ｈの操作を容易にする。
【０１０１】
ここで、図１１により、本発明の別の観点を説明する。
【０１０２】
図１１は、本発明による通話装置１０の別の実施例を図１０と比較可能な図面により図示している。
【０１０３】
そこでは、調整要素５９が操作レバー４９に配置されていない。しかし、この発明の別の実施例では、調整要素５９を操作レバー４９に全く良好に配置することができる。
【０１０４】
図１１による実施例においても、操作レバー４９は、（図９の実施例の相応の図面及び機能において）図９に図示されている通り、操作レバー４９の長手方向に沿って延びる軸ＤＡの周りを全体として旋回可能又は傾斜可能であるように構成することができる。
【０１０５】
しかし、図１１の実施例によると、この発明では、操作レバー４９の挙動を特に触感により、通話装置１０で操作レバー４９を操作する操作員に提供することが大切である。それによって、一方において、向上された快適性が、他方において、より良好な情報活用が操作員に対して可能となる。
【０１０６】
図１１によると、図１０の図面と同様に、操作レバー４９が旋回軸６５の周りを旋回できる。レバー４９の各自由端６２は、中央位置３９ａを出発点として、二つの切換位置３９ｂ，３９ｃの中の一つに移動させることができる。それは、使用者の図示されていない指により、自由端６２に力を垂直方向３１に、即ち、第一の方向に沿って、或いはその逆方向３２に印加することにより行なわれる。
【０１０７】
図１１の実施例は、レバー４９が筐体前部１３に対して相対的に、或いは通話装置１０の筐体１２に対して相対的に固定して配置された旋回軸６５の周りを旋回可能であることを図解している。このレバー要素４９は、その限りにおいて、二つのレバーアーム、即ち、第一のレバーアーム７９ａと第二のレバーアーム７９ｂを有する。
【０１０８】
第二のレバーアーム７９ｂの領域において、通話装置１０の筐体１２に対して相対的に固定して配置された磁石７１と協力して動作する対抗磁石７２が操作レバー４９に配置されている。磁石７１と対抗磁石７２は、互いに引き合うように構成されている。図１１の幾何学的形状からは、レバー要素４９が図１におけるその中央位置３９ａの方に付勢されるように、磁石７１が磁力の印加により磁石７２を動かすことは明らかである。
【０１０９】
ここで、レバー要素４９を中央位置３９ａから動作位置３９ｂ又は３９ｃの方に移動させる場合、磁石７１の力とバネ要素７３及び７４が発生する別の力に打ち勝たなければならない。しかし、磁力は、非常に短い近接領域にしか作用しないので、磁力を無効にするためには、例えば、５°、１０°又は１５°の小さい旋回角だけレバー４９を僅かに旋回させるだけで十分である。この場合、磁石７１及び７２は、有利には、それらが近接領域にのみ作用すように設計及び配置される。言い換えると、操作レバー４９が中央位置３９ａから僅かに離れた位置に有る場合、磁石７１，７２の磁力が無効になる。
【０１１０】
ここで、対抗磁石７２が、操作レバー４９に固定して配置された要素であるとすることができる。それに代わって、材料部分又は操作要素４９全体を磁性材料又は磁化可能な材料から構成することもできる。
【０１１１】
図１１によると、更に、第一のバネ要素７３と第二のバネ要素７４が配備されている。これらのバネ要素７３，７４は、それぞれ第二のレバーアーム７９ｂ又はレバー４９の別の領域におけるバネ関節点７５の所のバネ終端部と固定されている。これらのバネ７３，７４は、図１１の実施例によると、引張バネとして構成されている。即ち、二つのバネ要素７３，７４の各々は、第二のレバーアーム７９ｂの終端の所で操作要素４９を自身の方に引っ張ろうとする。この場合、安定した均衡状態は、二つのバネ要素７３，７４のバネ力が相殺されるので、レバー４９がその中央位置３９ａに有る場合に達成される。
【０１１２】
操作レバー４９が、中央位置３９ａを出発点として、第二の動作位置３９ｃの方に移動された場合、関節点７５は、第二のバネ要素７４の固定された終端８０から離れ、そのため、第二のバネ要素７４がレバー４９に加える力（復元力）が増大する。それと同時に、バネ関節点７５が、第一のバネ要素７３の固定された終端８１に近付き、そのため、そのバネ要素７３がレバー４９に力を加えなくなる。
【０１１３】
即ち、切換位置３９ｃを維持するには、操作員が、バネ要素７４の保持力よりも大きい力を方向３２に向かってレバー４９の自由端６２に持続して加えることが必要である。
【０１１４】
しかしながら、バネ要素７４は（しかし、同様にバネ要素７３も）、非常に弱くにしか設計されていないので、操作員が加えるべきそのような保持力を非常に小さく設計することができる。それは、操作員が小さい保持力だけで、即ち、高い快適性で、動作位置３９ｃを維持することを可能にする。
【０１１５】
操作員が動作位置又は切換位置３９ｃを解除したい場合、レバー４９への力の印加を急に、或いは徐々に終了することができ、そのため、バネ要素７４が加える力に基づき、レバー４９が、旋回軸６５の周りを時計回りと逆の向きに旋回することにより、動作位置３９ｃから、その中央位置３９ａの方向に移動される。この場合、先ずはバネ７４だけがレバー４９を戻す役割を果たす。
【０１１６】
レバー４９がその中央位置３９ａに近付くとともに、磁石７１と磁石７２が、磁力を作用できる程、再び互いに近付いた場合に初めて、中央位置３９ａに向かってレバー４９を更に戻す動きが加速されるか、或いはより大きな付勢力が加わる形で、戻す動きが実行される。
【０１１７】
即ち、磁石７１，７２が加える力とバネ要素７３，７４が加える力の力の成分が加算されるか、或いは平行に向けられる。しかし、これらの磁石７１，７２が加える力は、近接領域にのみ作用する。即ち、操作レバーの中央位置３９ａの近くに位置する、操作レバー４９の旋回場所が近接領域と呼ばれる。
【０１１８】
それによって、並びに、例えば、近接領域にのみ作用する磁石７１，７２の磁力が、バネ要素７３，７４が加える力よりも大きく、或いは高くなるように設計された、力の大きさの設計によって、操作員により達成される切換位置３９ｂ，３９ｃが、小さい力の負担で、そのため、苦労せずに、より快適に保持できるとの成果を生み出すことができる。
【０１１９】
他方において、力の作用が操作要素４９のむしろ急に始まる旋回運動をも引き起こす、近接領域に作用する大きな磁力によって、レバー４９がその中央位置３９ａに到達したか、或いはその位置の直前に有るのかが、明らかに触覚により使用者に伝えられる。
【０１２０】
その外に、計算ユニット又は制御ユニット６７が、設定又は変更されたパラメータ値を保存する役割を果たすか、或いはその値を更に処理する役割を果たすことを可能にするメモリ６７ａを備えることもできることを補足しておきたい。
【０１２１】
図１１の実施例では、二つの引張バネ要素７３，７４が規定されている。本発明の別の実施例では、一つのバネ要素だけが配備される。
【０１２２】
最後に、引張バネの代りに、圧縮バネ、板バネ又はそれ以外の復元力を発生するバネ要素を配備することもできる。
【０１２３】
少なくとも一つの従来の第一のバネ要素が、中央位置３９ａと各切換位置３９ｂ，３９ｃの間の旋回領域全体に渡って作用し、その復元力が、操作要素の変位が大きくなる程増大して、そのバネ要素が全体として弱く構成されることと、特に、磁石を用いて復元力を発生させる近接領域にのみ作用する第二のバネ要素が、第一のバネ要素に対して平行に配備されることとが決定的に重要である。
【０１２４】
ここで、図１２〜１９に基づき、本発明による通話装置用の操作要素１５ｅの別の実施例を説明する。
【０１２５】
図１２によると、操作要素１５は、多数の個別要素を有する。
【０１２６】
図１２は、操作レバーを構成する要素４９ｍを先ず図示している。その要素は、空洞１０９を備えた本体部８５を有し、その空洞を通して、回転軸ＤＡ３の周りを回転可能な調整要素５９ｍを嵌め込むことができる。この本体部８５は、自在軸受を構成するとともに、操作レバー４９ｍの旋回軸６５を提供する二つの支柱又はピン８６ａ，８６ｂを有する。
【０１２７】
取り付けられた状態では、これらの旋回軸受支柱８６ａ，８６ｂは、それらのために側壁８３ａ，８３ｂに設けられた開口１１０ａ，１１０ｂ内に軸支されている。これらの側壁８３ａ，８３ｂは、背面壁８３ｃと共に、操作レバー４９ｍのための旋回保持部８２を構成する。この旋回保持部８２は、通話装置の筐体前部１３に対して相対的に、特に、図１３に図示された回路基板９４に固定されている。
【０１２８】
更に、本体部８５には、それに対応する側壁８３ａ，８３ｂの湾曲したジブスロット８７ａ，８７ｂを貫通するカム形状の支柱９９ａ，９９ｂが配置されている。
【０１２９】
レバー要素４９ｍの異なる旋回位置における図１６〜１８が図示する通り、これらのジブスロット８７ａ，８７ｂは、支柱９９ａ，９９ｂがジブスロット８７ａ，８７ｂの終端に当たることによりレバー４９ｍの旋回運動を制限する。
【０１３０】
完璧にするために、各筐体側壁８３ａ，８３ｂにおける旋回軸受支柱８６ａ，８６ｂの軸支は、ボールベアリング８４ａ，８４ｂを中間接続することにより実現できることを補足したい。
【０１３１】
図１２によると、更に、側壁８３ａに、或いは側壁に対して相対的に固定して配置された磁石９６が配備されている。図１２は、更に、それぞれレバー旋回軸９８ａ，９８ｂの周りを旋回可能な一対の金属製レバー９７ａ，９７ｂを図解している。これら二つのレバー９７ａ，９７ｂは、バネ要素１００を用いて互いに引き付けられている。
【０１３２】
このバネ要素１００の連結端は、符号１０１ａと１０１ｂで表示されている。
【０１３３】
図１５及び図１７による中央位置３９ａに有る操作レバー４９ｍでは、二つの駆動カム９９ａ，９９ｂが、二つのレバー９７ａ，９７ｂの間のちょうど真ん中に有る。
【０１３４】
このレバー４９ｍが、図１７の中央位置３９ａを出発点として、垂直方向３１に向かって図１６の第一の切換位置３９ｂに変位されると、支柱９９ａの端部により提供される駆動カム９９ａが下方のレバー９７ｂに接触して、図１２に関して、そのレバーを、それに対応する旋回軸９８ｂの周りに時計回りと逆の向きに移動させる。
【０１３５】
それによって、先ず、そのレバー９７ｂの自由端が、位置を固定して保持された磁石９６から離れる（これは第一の力の印加を必要とする）。それには、磁石９６と金属製の、特に、鉄から構成されるレバー９７ａ，９７ｂとの間の磁気保持力に打ち勝つ必要がある。
【０１３６】
金属製のレバー要素９７ｂの自由端が磁石９６の影響範囲から外れると、（磁石と比べて弱く設計された）バネ要素１００だけが、依然として二つのレバー要素９７ａと９７ｂをその中央姿勢に互いに保持しようとする。使用者は、レバー要素４９ｍを図１６の第一の切換位置３９ｂに持続して保持するためには、バネ要素１００の力に対抗する力だけを加える必要がある。
【０１３７】
この場合においても、その限りにおいて、バネ要素１００は、磁石９６と（金属製レバー９７ａ，９７ｂにより構成される）対抗磁石から成る構成に対して平行に接続されている。
【０１３８】
この実施例では、近接領域において、磁力と機械式バネ１００の力が平行に作用し、レバーが中央位置から僅かな角度だけ旋回されると、ほぼ例外無く、バネ要素１００の機械的な力だけが依然として作用する。
【０１３９】
この場合でも、その限りにおいて、レバー４９ｍがレバー９７ａ，９７ｂを介して間接的に磁石９６と協力して動作する。
【０１４０】
機械式レバー要素９７ａ，９７ｂの対は、第一の側壁８３ａ又は第二の側壁８３ｂに配置するか、或いはそれに代わって、二つの側壁８３ａ，８３ｂの間に配置することもできる。有利には、各レバー要素９７ａ，９７ｂは、側壁８３ａに直に軸支される。
【０１４１】
バネ要素１００は、例えば、引張バネとして構成して、その二つの軸方向の終端領域に、二つのレバー要素９７ａ，９７ｂにおける図面に図示されていない対抗固定領域と協力して動作可能な連結領域１０１ａ，１０１ｂを有することができる。バネ要素１００とレバー要素９７ａ，９７ｂの構成は、バネ要素１００がその端部１０１ａ，１０１ｂを二つのレバー要素９７ａ，９７ｂの対応する突起に掛けるか、或いはそれ以外の手法で嵌入又は固定可能であるように実現することができる。
【０１４２】
図１２〜１９の実施例では、調整要素５９ｍが回転ヘッド８８として構成されており、操作レバー４９ｍと共に旋回可能である。
【０１４３】
この回転ヘッド８８は、エンコーダユニット１０８の支柱８９に置かれる。エンコーダプレート１１１の外に、回転可能なエンコーダ支柱８９のための軸受を有する構成がエンコーダユニット１０８と呼ばれる。
【０１４４】
図１２は、エンコーダユニット１０８と操作レバー４９ｍの間に配置されたスペーサーリング９０も模式的に図示している。
【０１４５】
更に、エンコーダユニット１０８は、有利には、通話装置のプレート９４における対抗コネクタ９２ｂと接続できるコネクタ９２を有する。
【０１４６】
この実施例では、エンコーダユニット１０８が操作レバー４９ｍと共に旋回可能であるので、このコネクタは、相応の運動空間を許容する柔軟な配線導体１１２を備えている。
【０１４７】
プレート９４には、それぞれ光ガイド９３ａ，９３ｂに光を照射できる複数のグループのＬＥＤ９５ａ，９５ｂ，９５ｃ，９５ｄ，９５ｅが配備されている。この光ガイドは、操作要素１５を照明する。
【０１４８】
切換磁石１０６が旋回支持部８２の側壁８３ｂに対して相対的に固定して配置されている。この磁石は、エンコーダプレート１１１の裏側に配置されたホールセンサーと協力して動作し、これらのホールセンサーは、側壁８３ｂに対して相対的な、操作レバー４９ｍの異なる動作位置３９ｂ，３９ｃを検出することができる。
【０１４９】
（レバー４９ｍと一緒に旋回可能な）二つのホールセンサーが、図１９で符号１１３ａ，１１３ｂで表示されている。これらのホールセンサー１１３ａ，１１３ｂは、筐体壁内に固定して配置された切換磁石１０６に対して相対的な近さを検出することができる。
【０１５０】
以下において、本発明による通話装置１０の操作要素１５ｆの別の実施例を図２０〜２５に基づき説明する。
【０１５１】
図２０によると、この実施例では、レバー４９ｎが、又もや、ボールベアリング８４ａ，８４ｂを中間接続して旋回保持部８２の側壁８３ａ，８３ｂに軸支された旋回軸受支柱８６ａ，８６ｂを備えている。この旋回保持部８２は、通話装置の筐体前部１３に対応するか、或いは筐体前部に対して平行に、図２１の観察者の視点方向に対して筐体前部１３の後方に配置できるプレート又は回路基板９４に対して相対的に固定して配置される。
【０１５２】
各操作要素１５ｆは、又もやプレート９４に固定して配置されたエンコーダユニット１０８を有する。エンコーダユニット１０８からは、前述した実施例と同様に、それぞれ支柱８９が出ており、その支柱には、回転ヘッドの形の調整要素５９ｎが、回転軸ＤＡ４の周りを回転可能であるように配置されている。
【０１５３】
図２０〜２５の実施例では、調整要素５９ｎが、プレート１３に対して相対的に位置を固定して、即ち、レバー４９ｎと共に旋回運動できないように配置されている。
【０１５４】
そのために、レバー４９ｎは空洞１１４を有し、その空洞を通して、調整要素５９ｎを潜在させることができる。
【０１５５】
図２３〜２５は、調整要素５９ｎに対して相対的な、レバー４９ｎの異なる位置を、特に、一つの休止位置又は二つの動作位置３９ａ，３９ｂ，３９ｃを図示するとともに、操作レバー４９ｎが（レバーの全ての位置で）調整要素５９ｎを覆うことを図解している。
【０１５６】
操作レバー４９ｎは、駆動カム９９ａを備えた本体部８５を有する。これらの駆動カムは、筐体壁８３ａ内のそれらに対応するジブスロット８７ａを貫通する。
【０１５７】
二つの垂直な保持アーム１０４ａ及び１０４ｂと、一つの水平な調整アーム１０５を備えたバネ要素１０３が筐体壁８３ａに対して相対的に固定して配置されている。この水平な調整アーム１０５には、駆動カム９９ａを挿入する空洞又は収容部１１５が配置されている。
【０１５８】
垂直な脚部１０４ａ及び１０４ｂは、筐体壁８３ａに対して相対的に固定して配置されており、バネ要素１０３を全体として筐体側壁８３ａに固定している。
【０１５９】
レバー要素４９ｎが図２４の休止位置から動作位置に旋回されると、カム９９ａが、回転軸６５の周りの円形運動を実行して、ジブスロットに沿って動く。この場合、カムがバネ要素の調整アーム１０５を一緒に連れて行く、詳しくは、スプリングアーム１０５が加える復元力に打ち勝って、一緒に連れて行く。
【０１６０】
それと同時に、バネ要素１０３の変位可能なアーム１０５の自由端に配置された切換磁石１０６が一緒に移動される。
【０１６１】
この切換磁石１０６は、変位された姿勢において、即ち、レバー要素４９ｎの動作位置に到達した場合に、プレート９４に配置されたホールスイッチ又はホールセンサー１１３ａ，１１３ｂと協力して動作する。レバー要素４９ｎの変位された切換位置３９ｂ又は３９ｃは、ホールセンサー１１３ａ，１１３ｂによって相応に検出することができる。
【０１６２】
操作員が最早レバー要素４９ｎに更なる力を加えないと、バネ要素１０３は、レバー要素４９ｎを図２４の中央姿勢３９ａに復元する役割を果たす。
【０１６３】
図２０は、更に、レバー要素４９ｎを機械的な手法で中央に繋止する役割を果たすことができるロック要素１０７を図示している。
【０１６４】
このロック要素１０７は、例えば、図２２ａで最も良く見れる通りのバネ突起１１６ａ，１１６ｂを有することができ、それらの突起は、例えば、図２２ａで見れる旋回軸受支柱８６ａにおける、それらに対応する相補的な面、特に、オフセット部１１７ａ，１１７ｂと協力して動作することができ、そのため、中央姿勢へのレバー要素４９ｎの到達が、触覚により伝えることが可能なロックメカニズムにより示される。
【０１６５】
図２０〜２５の実施例でも、調整要素５９ｎがそれに対応する操作レバー４９ｎに直に明確に、並びに空間的に非常に近くに組み込まれているために、特に快適で、確実な誤りの無い取り扱い及び操作が可能である。
【０１６６】
本出願の全ての実施例では、更に、任意選択として、調整要素５９ａ，５９ｂ，５９ｃ，５９ｄ，５９ｅ，５９ｆ，５９ｇ，５９ｈ，５９ｉ，５９ｊ，５９ｋ，５９ｌ，５９ｍ，５９ｎが各回転軸ＤＡ，ＤＡ１，ＤＡ２，ＤＡ３，ＤＡ４の方向に関して軸方向に可動であり、キー押下機能を実行できると規定することができる。調整要素５９の軸方向の移動は、図面に図示されていないセンサー要素により検出することができる。
【０１６７】
例えば、調整要素５９ａ，５９ｂ，５９ｃ，５９ｄ，５９ｅ，５９ｆ，５９ｇ，５９ｈ，５９ｉ，５９ｊ，５９ｋ，５９ｌ，５９ｍ，５９ｎの回転によって、パラメータ値を設定することができ、キー押下によって、例えば、調整要素の軸方向の移動によって、設定されたパラメータ値を保存又は上書きすることができる。
【０１６８】
調整要素５９ａ，５９ｂ，５９ｃ，５９ｄ，５９ｅ，５９ｆ，５９ｇ，５９ｈ，５９ｉ，５９ｊ，５９ｋ，５９ｌ，５９ｍ，５９ｎのその後の回転によるパラメータ値の設定を実行できるようにするために、調整要素５９の軸方向の操作を最初に実施しなければならず、その次に、パラメータ値を操作するか、或いは保存又は上書きするために、再度軸方向へのキー押下操作を実行しなければならない場合も本発明に含まれる。
【符号の説明】
【０１６９】
１０  本発明による通話装置
１１  インターコムネットワーク
１２  筐体
１３  筐体前部
１４  筐体裏側
１５ａ，１５ｂ，１５ｃ，１５ｄ，１５ｅ，１５ｆ  操作要素
１６ａ，１６ｂ，１６ｃ，１６ｄ  ディスプレイ
１７，１７ａ，１７ｂ，１７ｃ，１７ｄ  選択キー
１８ａ，１８ｂ  別の通話装置
１９  中継装置
２０ａ，２０ｂ，２０ｃ，２０ｄ，２０ｅ，２０ｆ，２０ｇ，２０ｈ，２０ｉ  端子
２１  電源端子
２２ａ，２２ｂ，２２ｃ  データケーブル端子
２３  ＢＮＣ端子ジャック
２４  スピーカ
２８ａ，２８ｂ  開口部
２９  把手要素
３０  スリット
３１  垂直方向
３２  垂直方向と逆の方向
３３  基礎面
３４ａ，３４ｂ  側方縁部
３９ａ  中央位置
３９ｂ  第一の切換位置又は動作位置
３９ｃ  第二の切換位置又は動作位置
４０  中央位置
４１ａ  第一の切換位置又は動作位置
４１ｂ  第二の切換位置又は動作位置
４２ａ，４２ｂ  固定区画
４３  開口
４４  マイクロフォン
４５  マイクロフォン用端子
４６  ヘッドセット用端子
４８ａ，４８ｂ，４８ｃ  接続配線
４９，４９ａ，４９ｂ，４９ｃ，４９ｄ，４９ｅ，４９ｆ，４９ｇ，４９ｈ，４９ｉ，４９ｊ，４８ｋ，４９ｍ，４９ｎ  レバー
５０  電源延伸端子
５２ａ，５２ｂ  ＵＳＢ端子
５３  設置面
５５  底部壁
５６  天井壁
５９，５９ａ，５９ｂ，５９ｃ，５９ｄ，５９ｅ，５９ｆ，５９ｇ，５９ｈ，５９ｉ，５９ｊ，５９ｋ，５９ｍ，５９ｎ  調整要素
６０ａ，６０ｂ，６０ｃ  センサー
６１  リブ
６２  レバーの自由端
６３  レバーの蝶番端
６４  レバーの材料領域
６５  旋回軸
６６ａ，６６ｂ  センサー要素
６７  計算ユニット又は制御部
６７ａ  メモリ
６８ａ，６８ｂ，６８ｃ，６８ｄ  信号配線又は接続配線
６９  開口
７０  センサー
７１  磁石
７２  対抗磁石
７３，７４  バネ要素
７５  バネ関節点
７６  レバーの操作面
７７  操作レバーの操作面
７８  調整要素の外被面
７９ａ，７９ｂ  レバーアーム
８０，８１  バネ要素の終端
８２    旋回保持部
８３ａ，８３ｂ  側壁
８３ｃ  背面壁
８４ａ，８４ｂ  ボールベアリング
８５  本体部
８６ａ，８６ｂ  支柱
８７ａ，８７ｂ  ジブスロット
８８  回転ヘッド
８９  支柱
９０  スペーサーリング
９２，９２ａ，９２ｂ  コネクタ
９３ａ，９３ｂ  光ガイド
９４  回路基板又はプレート
９５ａ，９５ｂ，９５ｃ，９５ｄ，９５ｅ  ＬＥＤ
９６  磁石
９７ａ，９７ｂ  レバー
９８ａ，９８ｂ  レバー旋回軸
９９ａ，９９ｂ  支柱
１００  バネ要素
１０１ａ，１０１ｂ  バネ要素の連結端
１０３  バネ要素
１０４ａ，１０４ｂ  保持アーム
１０５  調整アーム
１０６  切換磁石
１０７  ロック要素
１０８  エンコーダユニット
１０９  空洞
１１０ａ，１１０ｂ  開口
１１１  エンコーダプレート
１１２  配線導体
１１３ａ，１１３ｂ  ホールセンサー
１１４  空洞
１１５  空洞又は収容部
１１６ａ，１１６ｂ  バネ突起
１１７ａ，１１７ｂ  オフセット部
ＤＡ，ＤＡ１，ＤＡ２，ＤＡ３，ＤＡ４  回転軸
Ｈ  筐体の高さ
Ｐ，Ｐ１，Ｐ２  回転方向
Ｉａ  部分円
ＩＩＩ−ＩＩＩ  断面線
Ｘ−Ｘ  断面線
ＸＩＶ，ＸＶＩ，ＸＩＸ，ＸＸａ，ＸＸＩＩａ，ＸＸＩＩＩ  矢印（視線方向）
【図１】
2019103137.tif 000003
【図１ａ】
2019103137.tif 000004
【図２】
2019103137.tif 000005
【図３】
2019103137.tif 000006
【図４】
2019103137.tif 000007
【図５】
2019103137.tif 000008
【図６】
2019103137.tif 000009
【図７】
2019103137.tif 000010
【図８】
2019103137.tif 000011
【図９】
2019103137.tif 000012
【図１０】
2019103137.tif 000013
【図１１】
2019103137.tif 000014
【図１２】
2019103137.tif 000015
【図１３】
2019103137.tif 000016
【図１４】
2019103137.tif 000017
【図１５】
2019103137.tif 000018
【図１６】
2019103137.tif 000019
【図１７】
2019103137.tif 000020
【図１８】
2019103137.tif 000021
【図１９】
2019103137.tif 000022
【図２０】
2019103137.tif 000023
【図２０ａ】
2019103137.tif 000024
【図２１】
2019103137.tif 000025
【図２２】
2019103137.tif 000026
【図２２ａ】
2019103137.tif 000027
【図２３】
2019103137.tif 000028
【図２４】
2019103137.tif 000029
【図２５】
2019103137.tif 000030
【外国語明細書】
2019103137000001.pdf